(57)【要約】      （修正有）【課題】磁気テープの高速早送り／高速巻戻し時に、キャプスタンモータを高速回転させて磁気テープの高速早送り／高速巻戻しをし、キャプスタンモータが過負荷状態になったとき、キャプスタンモータの回転速度を下げて磁気テープの高速早送り／高速巻戻しを継続し、キャプスタンモータを駆動するドライバＩＣの過電流による破壊を防止する。【解決手段】磁気テープの高速早送り、高速巻戻し時に、所定のデューティ比のＰＷＭ信号でキャプスタンモータを駆動して、巻取りリール／供給リールを高速回転させて磁気テープを高速早送り／高速巻戻しをし、磁気テープの高速早送り／高速巻戻し中に、キャプスタンモータの回転周波数が所定の回転周波数以下に低下したとき、ＰＷＭ信号のデューティ比を変更してキャプスタンモータの回転周波数を変更し、磁気テープの高速早送り／高速巻戻しを続行するようにする。【選択図】図２
0003108584.tif 000002
【実用新案登録請求の範囲】
【請求項１】
磁気テープに映像音声信号を記録再生する磁気テープ装置であって、
磁気テープの高速早送り／高速巻戻しをするキャプスタンモータをＰＷＭ信号で駆動する駆動手段と、前記駆動手段が前記キャプスタンモータを駆動するＰＷＭ信号のデューティ比を変更するデューティ比変更手段と、前記キャプスタンモータの回転に応じて発生するＣＦＧ信号を検出して、前記キャプスタンモータの回転周波数を検出する検出手段と、前記検出手段の検出結果に基づいて前記デューティ比変更手段を制御し、前記キャプスタンモータの回転周波数を制御する制御手段とを設け、
前記制御手段は、磁気テープの高速早送り／高速巻戻し時に、デューティ比が略１００％のＰＷＭ信号で前記キャプスタンモータを駆動して、巻取りリール／供給リールを高速回転させて磁気テープの高速早送り／高速巻戻しをし、磁気テープの高速早送り／高速巻戻し中に、前記キャプスタンモータの回転周波数が所定回転周波数以下に低下したとき、前記キャプスタンモータを駆動するＰＷＭ信号のデューティ比を前記キャプスタンモータの制御可能な回転周波数のデューティ比に変更して、磁気テープの高速早送り／高速巻戻しを続行するように構成したことを特徴とする磁気テープ装置。
【請求項２】
磁気テープに映像音声信号を記録再生する磁気テープ装置であって、
磁気テープの高速早送り／高速巻戻しをするキャプスタンモータをＰＷＭ信号で駆動する駆動手段と、前記駆動手段が前記キャプスタンモータを駆動するＰＷＭ信号のデューティ比を変更するデューティ比変更手段と、前記キャプスタンモータの回転に応じて発生するＣＦＧ信号を検出して、前記キャプスタンモータの回転周波数を検出する検出手段と、前記検出手段の検出結果に基づいて前記デューティ比変更手段を制御し、前記キャプスタンモータの回転周波数を制御する制御手段とを設け、
前記制御手段は、磁気テープの高速早送り、高速巻戻し時に、所定のデューティ比のＰＷＭ信号で前記キャプスタンモータを駆動して、巻取りリール／供給リールを高速回転させて磁気テープの高速早送り／高速巻戻しをし、磁気テープの高速早送り／高速巻戻し中に、前記キャプスタンモータの回転周波数が所定の回転周波数以下に低下したとき、ＰＷＭ信号のデューティ比を変更して前記キャプスタンモータの回転周波数を変更し、磁気テープの高速早送り／高速巻戻しを続行するように構成したことを特徴とする磁気テープ装置。
【請求項３】
前記制御手段は、磁気テープの高速早送り／高速巻戻し時に、デューティ比が略１００％のＰＷＭ信号で前記キャプスタンモータを駆動して巻取りリール／供給リールを高速回転させ、磁気テープの高速早送り／高速巻戻しをする制御手段であることを特徴とする請求項２記載の磁気テープ装置。
【請求項４】
前記制御手段は、磁気テープの高速早送り／高速巻戻し中に、前記キャプスタンモータの回転周波数が所定回転周波数以下に低下したとき、前記キャプスタンモータを駆動するＰＷＭ信号のデューティ比を前記キャプスタンモータの制御可能な回転周波数のデューティ比に変更する制御手段であることを特徴とする請求項２記載の磁気テープ装置。
【考案の詳細な説明】
【技術分野】
【０００１】
本考案は、磁気テープに映像音声信号を記録再生する磁気テープ装置に係り、特に磁気テープの高速早送り／高速巻戻し時に、巻取りリール／供給リールを駆動するキャプスタンモータの過負荷状態を検出して、キャプスタンモータを駆動するドライバＩＣの過電流による破壊を防止することができる磁気テープ装置に関する。
【背景技術】
【０００２】
従来、磁気テープの早送り／巻戻しを行うキャプスタンモータは、磁気テープの高速早送り／高速巻戻し時に、デューティ比が略１００％のＰＷＭ（Ｐｕｌｓｅ  Ｗｉｄｔｈ  Ｍｏｄｕｌａｔｉｏｎ）信号でキャプスタンモータを駆動して、キャプスタンモータを実力以上の回転速度を目標回転速度として高速回転させているため、磁気テープの始端付近／終端付近で、キャプスタンモータに大きな回転トルクがかかって磁気テープを巻き取る巻取りリール／磁気テープを巻戻す供給リールを駆動するキャプスタンモータが過負荷状態になり、キャプスタンモータを駆動するドライバＩＣの出力電流が増加して、キャプスタンモータを駆動するドライバＩＣの過負荷状態が継続してドライバＩＣが過電流により破壊するという問題点があった。
背景技術としては、キャプスタンモータの回転に応じて発生するＣＦＧ（Ｃａｐｓｔａｎ  Ｆｒｅｑｕｅｎｃｙ  Ｇｅｎｅｒａｔｏｒ）信号の所定の変化毎のプリセット値を起点にクロック信号を計数して、計数値が一定の状態に到達するタイミングとＣＦＧ信号の所定の変化のタイミングとの早遅に基づいて加速中又は減速中のキャプスタンモータの回転が規定回転数に到達したことを検出するようにしたものがあった（例えば、特許文献１参照）。
また、キャプスタンモータの回転に応じて発生するＣＦＧパルス信号によりキャプスタン滑りの発生が検出されたとき、再生ＲＦ（Ｒａｄｉｏ  Ｆｒｅｑｕｅｎｃｙ）信号の包絡線レベルが第１の閾値以下である場合、キャプスタンモータの駆動時間を訂正してキャプスタンモータの回転を制御するようにしたものがあった（例えば、特許文献２参照）。
また、キャプスタンモータの回転に応じて発生するＣＦＧ信号からドラムモータの目標センタ周波数を計算して、センタ周波数に対するドラムモータの周波数誤差を回転速度制御信号としてドラムモータの回転を制御するようにしたものがあった（例えば、特許文献３参照）。
また、モード別速度指定データ及びキャプスタンモータの回転に応じて発生するＣＦＧ信号により周期が異なる速度制御用基準パルス列を発生させて速度制御用基準パルス列を台形波信号に変形し、台形波信号をサンプリングしてホールディング信号を出力して、キャプスタンモータの回転を制御するようにしたものがあった（例えば、特許文献４参照）。
【特許文献１】特開平９−１７２７９２号公報
【特許文献２】特開平１１−９６６２０号公報
【特許文献３】特開平９−１０２１５５号公報
【特許文献４】特開平４−２７８２４７号公報
【考案の開示】
【考案が解決しようとする課題】
【０００３】
しかしながら、背景技術で述べたもののうち最初のものにおいては、キャプスタンモータの回転に応じて発生するＣＦＧ信号の所定の変化毎のプリセット値を起点にクロック信号を計数して、計数値が一定の状態に到達するタイミングとＣＦＧ信号の所定の変化のタイミングとの早遅に基づいて加速中又は減速中のキャプスタンモータの回転が規定回転数に到達したことを検出することができたが、キャプスタンモータの加速、減速処理におけるＣＰＵ（Ｃｅｎｔｒａｌ  Ｐｒｏｃｅｓｓｉｎｇ  Ｕｎｉｔ）の負担を軽減するようにしたものであって、上記問題点を解決するようにしたものではなかった。
また、次のものにおいては、キャプスタンモータの回転に応じて発生するＣＦＧパルス信号によりキャプスタン滑りの発生が検出されたとき、再生ＲＦ信号の包絡線レベルが第１の閾値以下である場合、キャプスタンモータの駆動時間を訂正してキャプスタンモータの回転を制御することができたが、ファインスロー再生モード等の特殊な再生モード時のキャプスタンモータの回転を制御するようにしたものであって、上記同様、上記問題点を解決するようにしたものではなかった。
また、更にその次のものにおいては、キャプスタンモータの回転に応じて発生するＣＦＧ信号からドラムモータの目標センタ周波数を計算して、センタ周波数に対するドラムモータの周波数誤差を回転速度制御信号としてドラムモータの回転を制御することができたが、キャプスタンモータの回転速度に対するドラムモータの回転速度を制御してテープ速度変化時の色ずれを防止するようにしたものであって、上記同様、上記問題点を解決するようにしたものではなかった。
また、更にその次のものにおいては、モード別速度指定データ及びキャプスタンモータの回転に応じて発生するＣＦＧ信号により周期が異なる速度制御用基準パルス列を発生させて速度制御用基準パルス列を台形波信号に変形し、台形波信号をサンプリングしてホールディング信号を出力して、キャプスタンモータの回転を制御することができたが、キャプスタンモータをモード別に異なる回転速度で駆動するようにしたものであって、上記同様、上記問題点を解決するようにしたものではなかった。
本考案は、背景技術の有するこのような問題点に鑑みてなされたものであり、その目的とするところは、磁気テープの高速早送り／高速巻戻し時に、キャプスタンモータを高速回転させて磁気テープの高速早送り／高速巻戻しをし、キャプスタンモータが過負荷状態になったとき、キャプスタンモータの回転速度を下げて磁気テープの高速早送り／高速巻戻しを継続し、キャプスタンモータを駆動するドライバＩＣの過電流による破壊を防止することができる磁気テープ装置を提供しようとするものである。
【課題を解決するための手段】
【０００４】
上記目的を達成するために、本考案における磁気テープ装置は、磁気テープに映像音声信号を記録再生する磁気テープ装置であって、磁気テープの高速早送り／高速巻戻しをするキャプスタンモータをＰＷＭ信号で駆動する駆動手段と、前記駆動手段が前記キャプスタンモータを駆動するＰＷＭ信号のデューティ比を変更するデューティ比変更手段と、前記キャプスタンモータの回転に応じて発生するＣＦＧ信号を検出して、前記キャプスタンモータの回転周波数を検出する検出手段と、前記検出手段の検出結果に基づいて前記デューティ比変更手段を制御し、前記キャプスタンモータの回転周波数を制御する制御手段とを設け、前記制御手段は、磁気テープの高速早送り、高速巻戻し時に、所定のデューティ比のＰＷＭ信号で前記キャプスタンモータを駆動して、巻取りリール／供給リールを高速回転させて磁気テープの高速早送り／高速巻戻しをし、磁気テープの高速早送り／高速巻戻し中に、前記キャプスタンモータの回転周波数が所定の回転周波数以下に低下したとき、ＰＷＭ信号のデューティ比を変更して前記キャプスタンモータの回転周波数を変更し、磁気テープの高速早送り／高速巻戻しを続行するように構成する。
前記制御手段は、磁気テープの高速早送り／高速巻戻し時に、デューティ比が略１００％のＰＷＭ信号で前記キャプスタンモータを駆動して巻取りリール／供給リールを高速回転させ、磁気テープの高速早送り／高速巻戻しをするようにするとよい。
また、前記制御手段は、磁気テープの高速早送り／高速巻戻し中に、前記キャプスタンモータの回転周波数が所定回転周波数以下に低下したとき、前記キャプスタンモータを駆動するＰＷＭ信号のデューティ比を前記キャプスタンモータの制御可能な回転周波数のデューティ比に変更するようにするとよい。
これらの手段により、磁気テープの高速早送り／高速巻戻し時に、キャプスタンモータを高速回転させて磁気テープの高速早送り／高速巻戻しをし、キャプスタンモータが過負荷状態になったとき、キャプスタンモータの回転速度を下げて磁気テープの高速早送り／高速巻戻しを継続し、キャプスタンモータを駆動するドライバＩＣの過電流による破壊を防止することができる。
【考案の効果】
【０００５】
請求項１記載の考案に係る磁気テープ装置によれば、磁気テープの高速早送り／高速巻戻し時に、デューティ比が略１００％のＰＷＭ信号でキャプスタンモータを駆動して、巻取りリール／供給リールを高速回転させて磁気テープの高速早送り／高速巻戻しをし、磁気テープの高速早送り／高速巻戻し中に、キャプスタンモータの回転周波数が所定回転周波数以下に低下したとき、キャプスタンモータを駆動するＰＷＭ信号のデューティ比をキャプスタンモータの制御可能な回転周波数のデューティ比に変更して、磁気テープの高速早送り／高速巻戻しを続行するようにしているので、磁気テープの高速早送り／高速巻戻し時に、キャプスタンモータを高速回転させて磁気テープの高速早送り／高速巻戻しをし、キャプスタンモータが過負荷状態になったとき、キャプスタンモータの回転速度を下げて磁気テープの高速早送り／高速巻戻しを継続し、キャプスタンモータを駆動するドライバＩＣの過電流による破壊を防止することができる。
請求項２記載の考案に係る磁気テープ装置によれば、磁気テープの高速早送り、高速巻戻し時に、所定のデューティ比のＰＷＭ信号でキャプスタンモータを駆動して、巻取りリール／供給リールを高速回転させて磁気テープの高速早送り／高速巻戻しをし、磁気テープの高速早送り／高速巻戻し中に、キャプスタンモータの回転周波数が所定の回転周波数以下に低下したとき、ＰＷＭ信号のデューティ比を変更してキャプスタンモータの回転周波数を変更し、磁気テープの高速早送り／高速巻戻しを続行するようにしているので、磁気テープの高速早送り／高速巻戻し時に、キャプスタンモータを高速回転させて磁気テープの高速早送り／高速巻戻しをし、キャプスタンモータが過負荷状態になったとき、キャプスタンモータの回転速度を下げて磁気テープの高速早送り／高速巻戻しを継続し、キャプスタンモータを駆動するドライバＩＣの過電流による破壊を防止することができる。
請求項３記載の考案に係る磁気テープ装置によれば、磁気テープの高速早送り／高速巻戻し時に、デューティ比が略１００％のＰＷＭ信号でキャプスタンモータを駆動して巻取りリール／供給リールを高速回転させ、磁気テープの高速早送り／高速巻戻しをするようにしているので、磁気テープの高速早送り／高速巻戻し時に、キャプスタンモータを高速回転させて磁気テープの高速早送り／高速巻戻しをすることができる。
請求項４記載の考案に係る磁気テープ装置によれば、磁気テープの高速早送り／高速巻戻し中に、キャプスタンモータの回転周波数が所定回転周波数以下に低下したとき、キャプスタンモータを駆動するＰＷＭ信号のデューティ比をキャプスタンモータの制御可能な回転周波数のデューティ比に変更するようにしているので、磁気テープの高速早送り／高速巻戻し中に、キャプスタンモータが過負荷状態になったとき、キャプスタンモータの回転速度を下げて磁気テープの高速早送り／高速巻戻しを継続し、キャプスタンモータを駆動するドライバＩＣの過電流による破壊を防止することができる。
【考案を実施するための最良の形態】
【０００６】
以下、適宜図面を参照しながら本考案を実施するための最良の形態を詳述する。図１は本考案の一実施例の磁気テープ装置の構成を示すブロック図であり、図２は本考案の一実施例の磁気テープ装置のキャプスタンモータのＰＷＭ駆動信号、ＣＦＧ信号、キャプスタンモータの回転周波数を示す説明図であり、図３は本考案の一実施例の磁気テープ装置の動作を示すフローチャートである。
まず、図１の本考案の一実施例の磁気テープ装置の構成を示すブロック図を基に説明する。
磁気テープ装置１は、磁気テープＴを供給する供給リール２と、磁気テープＴを巻き取る巻取りリール３と、磁気テープＴに映像信号を記録再生する複数の磁気ヘッド（図示せず）が搭載されたドラム４と、ドラム４を回転させるドラムモータ（図示せず）をサーボ制御するドラムサーボ回路５と、磁気テープＴに音声信号を記録再生する磁気ヘッド６と、磁気テープＴを走行させるキャプスタン７を回転させるとともに、供給リール２と巻取りリール３とを回転させるキャプスタンモータ８と、キャプスタンモータ８の回転をサーボ制御するドライバＩＣ（図示せず）を有するキャプスタンサーボ回路９と、キャプスタンモータ８の回転に応じて発生するＣＦＧ信号を検出し、検出されたＣＦＧ信号を低域通過フィルタ（図示せず）により直流信号に変換して、キャプスタンモータ８の回転周波数を検出するＣＦＧ信号検出回路１０と、ドラム４に搭載された複数の磁気ヘッド（図示せず）と磁気ヘッド６とを駆動して磁気テープＴに映像音声信号を記録再生する記録再生回路１１と、供給リール２の回転に応じて発生するリールパルス信号を検出するリールパルス検出回路１２と、巻取りリール３の回転に応じて発生するリールパルス信号を検出するリールパルス検出回路１３と、磁気テープ装置１のシステム全体を制御するマイコン１４とで構成されている。
以上のように構成された磁気テープ装置について、以下その動作について説明する。
磁気テープＴの高速早送り／高速巻戻しが指令されると、マイコン１４は、キャプスタンサーボ回路９に制御信号を送出して、所定のデューティ比のＰＷＭ信号でキャプスタンモータ８を駆動し、リールパルス検出回路１２により検出された供給リール２のリールパルスとリールパルス検出回路１３により検出された巻取りリール３のリールパルスとのリールパルス比に基づいて供給リール２／巻取りリール３に巻かれている磁気テープＴの残量を判別し、供給リール２／巻取りリール３に巻かれている磁気テープＴの残量に余裕があると判別すると、キャプスタンサーボ回路９に制御信号を送出して、デューティ比が略１００％のＰＷＭ信号でキャプスタンモータ８を駆動し（図２（ａ）参照）、巻取りリール３／供給リール２を高速回転させて磁気テープＴの高速早送り／高速巻戻しを開始する。
磁気テープＴの高速早送り／高速巻戻し中に、ＣＦＧ信号回路１０によりＣＦＧ信号（図２（ｂ）参照）から検出されたキャプスタンモータ８の回転周波数が、キャプスタンモータ８を駆動するキャプスタンサーボ回路９のドライバＩＣ（図示せず）の過電流による破壊が生じる限界回転周波数以下になった場合（図２（ｃ）参照）、マイコン１４は、巻取りリール３／供給リール２を駆動するキャプスタンモータ８に大きな回転トルクがかかり、キャプスタンモータ８が過負荷状態になったと判別して、キャプスタンモータ８を駆動するキャプスタンサーボ回路９のドライバＩＣ（図示せず）の過電流による破壊を防止するため、キャプスタンサーボ回路９に制御信号を送出して、キャプスタンモータ８を駆動するＰＷＭ信号のデューティ比をキャプスタンモータ８の回転周波数を制御可能な回転周波数になるまで下げ（図２（ｃ）参照）、磁気テープＴの高速早送り／高速巻戻しを続行する。これにより、磁気テープの高速早送り／高速巻戻し中に、キャプスタンモータが過負荷状態になったとき、キャプスタンモータの回転速度を下げて磁気テープの高速早送り／高速巻戻しを継続し、キャプスタンモータを駆動するドライバＩＣの過電流による破壊を防止することができる。
そして、磁気テープＴの高速早送り／高速巻戻しが終了すると、マイコン１４は、キャプスタンサーボ回路９に制御信号を送出して、磁気テープＴの早送り／巻戻しを停止し、キャプスタンモータ８を駆動するＰＷＭ信号のデューティ比を所定のデューティ比に戻す。
また、図３の本考案の一実施例の磁気テープ装置の動作を示すフローチャートを基に説明する。
磁気テープの高速早送り／高速巻戻しが指令され、供給リール２／巻取りリール３に巻かれている磁気テープＴの残量に余裕があると、ステップＳ１からステップＳ２に進み、デューティ比が略１００％のＰＷＭ信号でキャプスタンモータが駆動されて、巻取りリール／供給リールが高速回転され、ステップＳ３に進む。
ステップＳ３で、キャプスタンモータの回転に応じて発生するＣＦＧ信号により検出されたキャプスタンモータの回転周波数がキャプスタンモータを駆動するキャプスタンサーボ回路のドライバＩＣの過電流による破壊が生じる限界回転周波数以下になったか否かが判断され、キャプスタンモータの回転周波数が限界回転周波数以下になった場合、ステップＳ４に進み、キャプスタンモータの回転周波数が限界回転周波数以下になっていない場合、ステップＳ２に戻って、ステップＳ２からのステップを繰り返す。
ステップＳ４で、キャプスタンモータを駆動するＰＷＭ信号のデューティ比が下げられ、ステップＳ５に進む。
ステップＳ５で、ＣＦＧ信号により検出されたキャプスタンモータの回転周波数が制御可能な回転周波数になったか否かが判断され、キャプスタンモータの回転周波数が制御可能な回転周波数になった場合、ステップＳ６に進み、キャプスタンモータの回転周波数が制御可能な回転周波数になっていない場合、ステップＳ４に戻って、ステップＳ４からのステップを繰り返す。
ステップＳ６で、キャプスタンモータを駆動するＰＷＭ信号のデューティ比の変更が終了されて、ステップＳ７に進む。
ステップＳ７で、磁気テープの高速早送り／高速巻戻しが続行され、ステップＳ８に進む。
ステップＳ８で、磁気テープの高速早送り／高速巻戻しが終了したか否かが判断され、磁気テープの高速早送り／高速巻戻しが終了した場合、ステップＳ９に進み、磁気テープの高速早送り／高速巻戻しが終了していない場合、ステップＳ７に戻って、ステップＳ７からのステップを繰り返す。
ステップＳ９で、磁気テープの早送り／巻戻しが停止され、キャプスタンモータを駆動するＰＷＭ信号のデューティ比が所定のデューティ比に戻されて、ステップＳ１０に進んで処理を終了する。
以上、本考案を実施するための最良の形態について詳述したが、本考案はこれに限定されるものではなく、当業者の通常の知識の範囲内でその変形や改良が可能であることはいうまでもない。
【図面の簡単な説明】
【０００７】
【図１】本考案の一実施例の磁気テープ装置の構成を示すブロック図である。
【図２】本考案の一実施例の磁気テープ装置のキャプスタンモータの駆動信号、ＣＦＧ信号、キャプスタンモータの回転周波数を示す説明図である。
【図３】本考案の一実施例の磁気テープ装置の動作を示すフローチャートである。
【符号の説明】
【０００８】
１  磁気テープ装置
２  供給リール
３  巻取りリール
４  ドラム
５  ドラムモータサーボ回路
６  磁気ヘッド
７  キャプスタン
８  キャプスタンモータ
９  キャプスタンサーボ回路
１０  ＣＦＧ信号検出回路
１１  記録再生回路
１２、１３  リールパルス検出回路
１４  マイコン
Ｔ  磁気テープ
【図１】
0003108584.tif 000003
【図２】
0003108584.tif 000004
【図３】
0003108584.tif 000005